(57)【要約】【課題】光出射方向を変更することが比較的に容易で、アームと灯具本体との一体感の高い外観意匠とすることが可能な照明器具を提供する。【解決手段】ＬＥＤ光源部１を収納する収納部２１とＬＥＤ光源部１からの熱を放熱する放熱部２２とを有する灯具本体２と、ＬＥＤ光源部１へ給電してＬＥＤ光源部１を点灯させる電源装置３と、灯具本体１と電源装置３とをつなぐアーム４とを備えた照明器具１０である。灯具本体２は、灯具本体２の窪み２３に取付台５を収容しており、アーム４は、取付台５に対して回動可能で、取付台５に収納可能である。【選択図】図１
2014146503.tif 000002
【特許請求の範囲】
【請求項１】
ＬＥＤ光源部を収納する収納部と前記ＬＥＤ光源部からの熱を放熱する放熱部とを有する灯具本体と、前記ＬＥＤ光源部へ給電して前記ＬＥＤ光源部を点灯させる電源装置と、前記灯具本体と前記電源装置とをつなぐアームとを備えた照明器具であって、
前記灯具本体は、該灯具本体の窪みに取付台を収容しており、前記アームは、前記取付台に対して回動可能で、前記取付台に収納可能なことを特徴とする照明器具。
【請求項２】
前記取付台は、前記灯具本体の前記窪みに収容した状態で前記取付台の外表面が前記灯具本体の外表面と面一な表面を形成しており、前記アームは、前記取付台に前記アームを収納した状態で前記アームの外表面が前記取付台の外表面と面一な表面を形成していることを特徴とする請求項１に記載の照明器具。
【請求項３】
前記アームは、前記電源装置から前記ＬＥＤ光源部へ給電する電源コードを収納可能な電源コード収納部を有することを特徴とする請求項１または請求項２に記載の照明器具。
【請求項４】
前記アームは、前記取付台に対して回動可能な一対の軸部を突設しており、該軸部が前記取付台に設けた軸受部とばね材とで挟み込んで保持され、前記ばね材は、前記軸部を押し圧する力を調整することを特徴とする請求項１ないし請求項３のいずれか１項に記載の照明器具。
【発明の詳細な説明】
【技術分野】
【０００１】
本発明は、光源としてＬＥＤを備えた照明器具に関する。
【背景技術】
【０００２】
従来より、ＬＥＤを光源とする照明器具が用いられている。ＬＥＤは、白熱電球や蛍光灯などの光源と比較して、小型化、軽量化や省電力化を図れ、指向性を高くすることが容易な特徴がある。
【０００３】
この種の照明器具としては、図７に示す、ＬＥＤを備えた器具本体１０１５と、ＬＥＤの点灯回路を内蔵した電源部１０２４と、器具本体１０１５と電源部１０２４とをつなぐアーム部材１０１８とを備えたものが知られている（特許文献１を参照）。
【０００４】
特許文献１の照明器具１０１０は、アーム支持部１０１７により、Ｕ字形状のアーム部材１０１８の両端部に、灯具本体となる器具本体１０１５を回転可能に取り付けている。アーム支持部１０１７は、アーム部材１０１８の両端部の貫通孔にボルトを貫通し、器具本体１０１５の側面側のナットにボルトをねじ込んで、アーム部材１０１８と器具本体１０１５とを固定している。照明器具１０１０は、アーム部材１０１８に対する器具本体１０１５の角度を調整して光出射方向を変更することが可能としている。なお、特許文献１の照明器具１０１０は、電源部１０２４の上面に接続部１０２５を設けている。照明器具１０１０は、配線ガイド１０２６の長手方向に沿って、接続部１０２５がスライド可能な状態で電気接続がなされるように設置している。
【先行技術文献】
【特許文献】
【０００５】
【特許文献１】特開２０１０−７３６５４号公報
【発明の概要】
【発明が解決しようとする課題】
【０００６】
ところで、特許文献１の照明器具１０１０は、アーム部材１０１８の両端部を、ボルトと器具本体１０１５側とでそれぞれ狭持している。照明器具１０１０は、器具本体１０１５の角度を調整し、アーム部材１０１８の両端部において、器具本体１０１５側にボルトを増し締めして固定する必要があり、光出射方向を変更することが煩雑なものとなる。また、特許文献１の照明器具１０１０は、Ｕ字形状のアーム部材１０１８で器具本体１０１５を支持しているため、アーム部材１０１８と器具本体１０１５との一体感がなく、外観意匠が損なわれていた。
【０００７】
本発明は上記事由に鑑みてなされたものであり、その目的は、光出射方向を変更することが比較的に容易で、アームと灯具本体との一体感の高い外観意匠とすることが可能な照明器具を提供することにある。
【課題を解決するための手段】
【０００８】
本発明の照明器具は、ＬＥＤ光源部を収納する収納部と上記ＬＥＤ光源部からの熱を放熱する放熱部とを有する灯具本体と、上記ＬＥＤ光源部へ給電して上記ＬＥＤ光源部を点灯させる電源装置と、上記灯具本体と上記電源装置とをつなぐアームとを備えた照明器具であって、上記灯具本体は、該灯具本体の窪みに取付台を収容しており、上記アームは、上記取付台に対して回動可能で、上記取付台に収納可能なことを特徴とする。
【０００９】
この照明器具において、上記取付台は、上記灯具本体の上記窪みに収容した状態で上記取付台の外表面が上記灯具本体の外表面と面一な表面を形成しており、上記アームは、上記取付台に上記アームを収納した状態で上記アームの外表面が上記取付台の外表面と面一な表面を形成していることが好ましい。
【００１０】
この照明器具において、上記アームは、上記電源装置から上記ＬＥＤ光源部へ給電する電源コードを収納可能な電源コード収納部を有することが好ましい。
【００１１】
この照明器具において、上記アームは、上記取付台に対して回動可能な一対の軸部を突設しており、該軸部が上記取付台に設けた軸受部とばね材とで挟み込んで保持され、上記ばね材は、上記軸部を押し圧する力を調整することが好ましい。
【発明の効果】
【００１２】
本発明の照明器具では、灯具本体の窪みに取付台を収容しており、アームは、取付台に対して回動可能で、取付台に収納可能な構成により、光出射方向を変更することが比較的に容易で、アームと灯具本体との一体感の高い外観意匠とすることが可能となる。
【図面の簡単な説明】
【００１３】
【図１】本実施形態の照明器具を示す外観斜視図である。
【図２】本実施形態の照明器具を示す略断面図である。
【図３】本実施形態の照明器具を示し、灯具本体の動作を説明する側面説明図である。
【図４】本実施形態の照明器具における要部を説明する説明図である。
【図５】本実施形態の照明器具における要部を示す外観斜視図である。
【図６】本実施形態の照明器具における別の要部を示す外観斜視図である。
【図７】従来の照明器具を配線ガイドに設置した状態を示す斜視図である。
【発明を実施するための形態】
【００１４】
以下、本実施形態の照明器具１０を図１ないし図６に基づいて説明する。なお、図中において同じ部材に対しては、同じ番号を付している。
【００１５】
本実施形態の照明器具１０は、図１に示すように、ＬＥＤ光源部１を収納する収納部２１とＬＥＤ光源部１からの熱を放熱する放熱部２２とを有する灯具本体２を備えている。照明器具１０は、ＬＥＤ光源部１へ給電してＬＥＤ光源部１を点灯させる電源装置３と、灯具本体１と電源装置３とをつなぐアーム４と、を備えている。灯具本体２は、灯具本体２の窪み２３に取付台５を収容している（図２を参照）。アーム４は、取付台５に対して回動可能で、取付台５に収納可能としている（図３を参照）。
【００１６】
これにより、本実施形態の照明器具１０は、光出射方向を変更することが比較的に容易で、アーム４と灯具本体２との一体感の高い外観意匠とすることが可能となる。
【００１７】
以下、本実施形態の照明器具１０の具体的な構成について説明する。本実施形態の照明器具１０は、より具体的には、建物の造営材たる天井材や壁材側に電源装置３を取り付けて、照明対象のライトアップなどを行うことが可能なスポットライトを構成している。
【００１８】
本実施形態の照明器具１０は、複数個のＬＥＤ１１を有するＬＥＤ光源部１と、内部にＬＥＤ光源部１を保持する灯具本体２とを備えている。ＬＥＤ光源部１は、円板状の配線基板１２を備えており、配線基板１２の一表面１２ａ側にＬＥＤ１１を実装している。
【００１９】
灯具本体２は、ＬＥＤ光源部１を収納する収納部２１と、ＬＥＤ光源部１からの熱を外部に放熱する放熱部２２とを備えている。灯具本体２は、ＬＥＤ光源部１を収納する凹部２１ａを備えた有底円筒状の収納部２１と、収納部２１と反対側に凹部２２ａを備えた有底円筒状の放熱部２２とを一体として備えている。灯具本体２は、収納部２１と放熱部２２とを一体として、灯具本体２全体の外形形状を円柱状にしている。灯具本体２は、収納部２１と放熱部２２とを一体に形成したものを用いているが、収納部２１と放熱部２２とを別体に形成させたものを結合して構成するものでもよい。灯具本体２は、収納部２１や放熱部２２の材料として、たとえば、アルミニウム、ステンレス、銅や鉄などを用いることができる。なお、放熱部２２は、凹部２２ａを覆うカバー２４を備えている。照明器具１０は、ＬＥＤ１１を配線基板１２に実装させたＬＥＤ光源部１を、金属材料からなる収納部２１に保持させている。
【００２０】
照明器具１０は、ＬＥＤ光源部１を放熱部２２と一体となった収納部２１に保持することにより、灯具本体２の小型化を図りつつＬＥＤ光源部１で発生した熱を灯具本体２から外部に効率よく放熱させることが可能となる。本実施形態の照明器具１０は、灯具本体２の放熱性を向上させることにより、ＬＥＤ光源部１の温度上昇を抑制し、ＬＥＤ光源部１からの光出力を向上させることもできる。
【００２１】
照明器具１０は、天井材（図示していない）などに固定可能な電源装置３を備えている。電源装置３は、ＬＥＤ光源部１に給電して点灯可能な点灯回路を構成する電源ユニット３２を備えている。電源装置３は、外形形状が直方体状の筐体３１の内部に電源ユニット３２を配置している。照明器具１０は、灯具本体２と電源装置３とをつなぐ長尺状のアーム４を備えている。照明器具１０は、アーム４の一端４０１側を電源装置３の筐体３１に取り付けている。照明器具１０は、アーム４の一端４０１側と反対側の他端４０２側を灯具本体２に取り付けている。
【００２２】
本実施形態の照明器具１０は、収納部２１の凹部２１ａの内底面にＬＥＤ光源部１を保持している。照明器具１０は、ＬＥＤ１１の光出射側の前方であって、配線基板１２の一表面１２ａ側を覆うように枠体部１３を備えている。枠体部１３は、ＬＥＤ光源部１を灯具本体２の収納部２１に収納し保持するために好適に用いられる。枠体部１３は、ＬＥＤ光源部１を収納部２１に保持する固定螺子（図示していない）の螺子頭などが照明器具１０の外部から見えることで、外観意匠の見栄えが損なわれることを抑制することが可能となる。枠体部１３は、アルミニウムなどの金属材料や合成樹脂材料を用いて形成することができる。枠体部１３は、円盤状であって複数個（ここでは、１８個）の開口部１３ａを設けている。照明器具１０は、枠体部１３の開口部１３ａからＬＥＤ１１の光を取り出す。ＬＥＤ光源部１は、枠体部１３によって、ＬＥＤ１１の前方に配置するレンズ１４を保持している。枠体部１３は、枠体部１３の開口部１３ａにおける内端部でレンズ１４を保持している。照明器具１０は、レンズ１４を保持する枠体部１３を収納部２１の凹部２１ａに収納して収納部２１の内底面側に固定している。レンズ１４は、ＬＥＤ１１からの光を所定の配光にするために好適に設けている。レンズ１４は、たとえば、レンズ１４の材料として、ガラスやアクリル樹脂などを用いることができる。レンズ１４は、配線基板１２の一表面１２ａ上に実装されたＬＥＤ１１を囲む凹部１４ａを配線基板１２側に備え、凹部１４ａとは反対側が平滑な表面１４ｂを備えた平凸レンズ状に形成している。照明器具１０は、ＬＥＤ１１からの光がレンズ１４に入射され、レンズ１４のレンズ効果により屈折することで、ＬＥＤ１１から照射された光を所定の配光分布で照射するように構成している。
【００２３】
照明器具１０は、金属材料により構成された棒状のアーム４を備えている。アーム４は、アーム４の一端４０１側が電源装置３の筐体３１側に保持されている。アーム４は、一端４０１とは反対側の他端４０２側で灯具本体２を保持している。アーム４は、アームの他端４０２側において、アーム４の側面４０３から外方に突出する円柱状の軸部４１を設けている。軸部４１は、円柱形状の第１円柱体４１ａと、第１円柱体４１ａの中心軸と中心軸が同じで第１円柱体４１ａよりも外形形状が大きい円柱の一部からなる第２円柱体４１ｂとを備えている（図４および図５を参照）。言い換えれば、軸部４１は、第２円柱体４１ｂの周面から内部に一部が窪んで第１円柱体４１ａの周面が露出する構成としている。軸部４１は、第２円柱体４１ｂの中心軸に対して、たとえば、１２０度の角度で、第１円柱体４１ａの周面が第２円柱体４１ｂの周面から外部に露出している。アーム４は、軸部４１が取付台５側に保持される。取付台５は、灯具本体２の窪み２３に収容可能なものであり、灯具本体２に取付台５を収容した状態で取付台５の外表面５１１が灯具本体２の外表面２１１と面一な表面を形成している。取付台５は、外表面５１１側から見て、Ｃ字形状をしており、基体部位５２ａと基体部位５２ａの両端からそれぞれ突出する一対の保持枠５２ｂを一体に備えている。取付台５は、一対の保持枠５２ｂの間にアーム４の他端４０２側を挿入可能としている。言い換えれば、取付台５は、一対の保持枠５２ｂで挟むようにＣ字形状の窪みにアーム４を取付台５に挿入して取付台５に保持している。取付台５は、アーム４を収納可能であって、取付台５にアーム４を収納した状態で取付台５の外表面５１１がアーム４の外表面４１１と面一な表面を形成している。
【００２４】
すなわち、本実施形態の照明器具１０では、取付台５は、灯具本体２の窪み２３に収容した状態で取付台５の外表面５１１が灯具本体２の外表面２１１と面一な表面を形成している。また、アーム４は、取付台５にアーム４を収納した状態でアーム４の外表面４１１が取付台５の外表面５１１と面一な表面を形成している。これにより、本実施形態の照明器具１０は、アーム４を取付部５に収納した状態で、アーム４と灯具本体２との一体感が、より増した外観意匠とすることが可能となる。
【００２５】
本実施形態の照明器具１０は、電源装置３の筐体３１に貫設する貫通孔（図示していない）に電線（図示していない）を通して、外部の交流電源（たとえば、商用電源）と電源ユニット３２とを電気的に接続している。また、照明器具１０は、電源コード７を介して、電源ユニット３２からＬＥＤ光源部１に電力を給電可能に構成している（図６を参照）。
【００２６】
アーム４は、アーム４の長手方向と垂直な方向に沿った断面において、Ｃ字形状をしている。アーム４は、Ｃ字形状における凹所に、電源コード７を収納している。アーム４は、Ｃ字形状における凹所の内側面から突出する半円柱状の突出体４３を備えている。突出体４３は、凹所における空間を部分的に狭めている。照明器具１０は、突出体４３と突出体４３に対向する凹所の内側面との間に電源コード７を保持するため、突出体４３をアーム４の凹所に適宜に設けている。アーム４は、アーム４の長手方向の長さに応じて、アーム４の長手方向に沿って複数個の突出体４３を適宜に設けることができる。
【００２７】
すなわち、アーム４は、電源装置３からＬＥＤ光源部１へ給電する電源コード７を収納可能な電源コード収納部４２を有している。照明器具１０は、電源コード７がアーム４の電源コード収納部４２に収納されており、照明器具１０の外部にむき出し状態ではないので、外観意匠が損なわれことを抑制することができる。
【００２８】
本実施形態の照明器具１０では、取付台５は、アーム４の両側の保持枠５２ｂそれぞれにアーム４の軸部４１を保持する軸受部５１を備えている。軸受部５１は、取付台５の外表面５１１とは反対の裏面５１２側において、半円柱状に窪んだ形状をしている。軸受部５１は、半円柱状に窪んだ軸受溝５１ａの内面が軸部４１の第２円柱体４１ｂの外周よりも若干大きな形状をしている。軸受部５１は、半円柱状に窪んだ軸受溝５１ａの内面側から突出する突起５１ｂを備えている。軸受部５１は、アーム４の軸部４１を軸部４１回りに回動可能としており、突起５１ｂが軸部４１の第２円柱体４１ｂと当接することで、軸部４１回りの回転を所定の角度範囲内に抑制する回り止めの機能を果たす。アーム４は、軸部４１を軸受溝５１ａに収納された状態で、第２円柱体４１ｂの一部分が取付台５の裏面５１２側から突出している（図４および図５を参照）。アーム４は、軸部４１を軸受部５１に収納した状態で、取付台５の裏面５１２側から突出する第２円柱体４１ｂを取付台５側に押し圧するばね材６を備えている。ばね材６は、図示していない螺子により取付台５の裏面５１２側に保持される。ばね材６は、取付台５の裏面５１２側に保持できるように、外形形状がＣ字形状の板材で構成している。ばね材６は、基部６１と、基部６１の両端から延出する一対の延出部６２、６２を備えている。また、ばね材６は、一対の延出部６２、６２間の基部６１に、板状の基部６１の表面に対して垂直方向に突出する突出板６３を備えている。突出板６３は、アーム４の電源コード収納部４２から導出する電源コード７を灯具本体２側に案内する機能を果たすことができる。
【００２９】
各延出部６２は、延出部６２の延出方向の中央部において、取付台５側から離れる外向きに湾曲した湾曲部位６２１を備えている。延出部６２は、湾曲部位６２１を介して、基部６１と反対側に先端部位６２２を備えている。ばね材６は、先端部位６２２において、取付台５の裏面５１２側にばね材６を固定するための第１螺子（図示していない）を挿通する挿通孔６２ａを設けている。また、ばね材６は、基部６１の中央部に第２螺子（図示していない）を挿通する挿通孔６１ａを設けている。ばね材６は、取付台５の外表面５１１側の孔部５０ａ（図１および図４を参照）から挿通する上記第２螺子を基部６１の挿通孔６１ａを通して、取付台５側にばね材６を保持している。ばね材６は、たとえば、上記第２螺子と図示しないナットとにより、取付台５側にばね材６を保持することができる。ばね材６は、挿通孔６１ａに雌螺子を螺子切りしておき、雄螺子となる上記第２螺子とばね材６の雌螺子とにより、取付台５側に保持してもよい。ばね材６は、上記第２螺子によりばね材６と取付台５との距離を調整して、軸部４１を取付台５側に押し圧する力を調整可能としている。湾曲部位６２１は、軸部４１の第２円柱体４１ｂと当接し、軸部４１が回動可能なように第２円柱体４１ｂを取付台５側に押し圧して保持可能としている。したがって、ばね材６は、取付台５の裏面５１２側に螺子止めされる２本の上記第１螺子と、取付台５の外表面５１１側から挿通される上記第２螺子とにより、３箇所で取付台５に保持可能としている。なお、本実施形態の照明器具１０は、アーム４の軸部４１が取付台５側とばね材６とに当接することで、ＬＥＤ光源部１からの熱をアーム４側に熱伝導しアーム４から外部に放熱することもできる。
【００３０】
ところで、照明器具１０では、灯具本体２を放熱性に優れた金属材料により構成することで、樹脂材料などにより灯具本体２を構成する場合と比較して重量が重くなる。また、本実施形態の照明器具１０は、アーム４の軸部４１を取付台５で保持し、取付台５を灯具本体２の窪み２３に収容することで、比較的任意に灯具本体２の重心位置の設計を行うことが可能となる。これにより本実施形態の照明器具１０は、アーム４の軸部４１を灯具本体２の外表面２１１側に設け、灯具本体２の重量を利用して灯具本体２の回転を容易に行えるようにすることができる。
【００３１】
また、上述した特許文献１の照明器具１０１０では、ボルトを固定する増し締め方向と、器具本体１０１５の角度を調整する回転方向とが同じ向きであれば、器具本体１０１５の固定の際し器具本体１０１５が回転し、所定の光出射方向からずれる恐れがある。
【００３２】
これに対し、本実施形態の照明器具１０は、上記第２螺子により、ばね材６を取付台５側に螺子合いすることで、軸部４１の回転方向と垂直方向からばね材６を押し圧している。本実施形態の照明器具１０は、１箇所の上記第２螺子を螺子締めすることにより、軸部４１とばね材６、軸部４１と軸受部５１とをそれぞれ圧接する。また、本実施形態の照明器具１０は、灯具本体２の回転を抑制する増し締めを１箇所で行うことが可能となる。すなわち、本実施形態の照明器具１０は、灯具本体２の固定に際し上記第２螺子を螺子締めしても灯具本体２が回転することが抑制でき、所定の光出射方向に灯具本体２を固定することが容易となる。
【００３３】
本実施形態の照明器具１０は、アーム４の軸部４１を、取付台５の軸受部５１とばね材６とで挟み、上記第２螺子により、ばね材６を取付台５側に近づく向きに近づけることで、ばね材６の形状を変形させる。照明器具１０は、ばね材６の形状を変形させて、軸部４１と軸受部５１との間および軸部４１とばね材６との間で摩擦力を大きくすることにより、軸部４１の軸部４１回りの回転を抑制することが可能となる。言い換えれば、照明器具１０は、ばね材６を取付台５側に螺子合いする上記第２螺子と、ばね材６と、取付台５とにより、ばね材６の力を調整するばね力調整部を構成している。
【００３４】
電源装置３は、直方体状の筐体３１を備えている。筐体３１は、筐体３１の材料として、たとえば、アルミニウムやステンレスなどを用いることができる。筐体３１は、アーム４の一端４０１側を筐体３１の固定面３０ａに固定してもよい。筐体３１は、筐体３１の固定面３０ａに対し、固定面３０ａと平行な面に沿ってアーム４を回動可能に構成してもよい。すなわち、電源装置３は、電源装置３に対して、アーム４を回転自在に固定していてもよい。筐体３１は、筐体３１の側周面３０ｂに沿って固定面３０ａと平行な複数個のフィン３１ａを備えている。本実施形態の照明器具１０は、複数個のフィン３１ａを筐体３１が備えていることにより、電源ユニット３２で生じた熱を外部に放熱しやすくすることができる。また、本実施形態の照明器具１０は、アーム４を介して、灯具本体２側からの熱が筐体３１側に伝熱しても、複数個のフィン３１ａを筐体３１が備えていることにより、筐体３１から外部に放熱しやすくすることもできる。
【００３５】
本実施形態の照明器具１０は、光出射方向を電源装置３の固定面３０ａと垂直な方向に沿った方向とする灯具本体２の図３（ａ）で示す位置から、固定面３０ａと傾斜した光出射方向とする灯具本体２の図３（ｂ）に示す位置との間で適宜に固定することができる。これにより本実施形態の照明器具１０は、比較的に容易に光出射方向を変更することが可能となる。
【００３６】
以下、本実施形態の照明器具１０の各構成について、詳細に説明する。
【００３７】
ＬＥＤ光源部１は、照明器具１０の光源となるものであって、少なくとも１つのＬＥＤ１１を備えている。ＬＥＤ１１は、給電により光を照射することが可能な半導体発光素子である。ＬＥＤ１１は、たとえば、青色光や紫外線を発するＬＥＤチップと、ＬＥＤチップから放射された光エネルギーにより励起されて、より長波長の光を放射する粒子状の蛍光体を備えた構成とすることができる。蛍光体は、たとえば、青色光により励起され発光波長域がブロードな黄色系の光を放射する蛍光体や紫外線により励起され青色、緑色および赤色をそれぞれ発光可能な３種類の蛍光体などが挙げられる。ＬＥＤ１１は、青色光を発するＬＥＤチップと、青色光により励起され発光波長域がブロードな黄色系の光を発光する蛍光体とを備えることで、白色光などの混色光を照射させることができる。ＬＥＤ１１は、蛍光体が透光性樹脂に含有されたドーム状の色変換部材でＬＥＤチップを被覆する構成とすることができる。
【００３８】
ＬＥＤ１１は、たとえば、発光層に青色光を放射するＩｎＧａＮなどの窒化ガリウム系化合物半導体を用いたＬＥＤチップを用いることができる。ＬＥＤ１１は、たとえば、青色光を吸収して補色となる黄色光などを放射する蛍光体として、たとえば、Ｅｕで付活された（Ｓｒ，Ｂａ）２ＳｉＯ４などの希土類でドープされた珪酸塩系の蛍光体を用いることができる。ＬＥＤ１１は、蛍光体として、ドープされた珪酸塩系の蛍光体だけでなく、Ｃｅで付活されたＹ３Ａｌ５Ｏ１２やＣｅで付活されたＴｂ３Ａｌ５Ｏ１２などの希土類でドープされたアルミネート系の蛍光体を用いることができる。
【００３９】
ＬＥＤ１１は、上記色変換部材を用いる代わりに蛍光体を含有しない透光性部材を備えた構成としてもよい。ＬＥＤ１１は、赤色光を発光する赤色ＬＥＤチップ、緑色光を発光する緑色ＬＥＤチップおよび青色光を発光する青色ＬＥＤチップを備える構成により、白色光を発光させることもできる。ＬＥＤ１１は、リフロー半田付けなどにより、配線基板１２の一表面１２ａに設けられた配線に表面実装するとともに電気的に接続させることができる。
【００４０】
ＬＥＤ１１は、ベアチップとなるＬＥＤチップでもよいし、ＬＥＤチップを合成樹脂などのパッケージで被覆させ外部に給電のためのリード端子が設けられた表面実装型発光ダイオードなどを用いてもよい。ＬＥＤ１１は、所望に応じて配線基板１２の一表面１２ａ上に複数個設けることができ、各ＬＥＤ１１を配線基板１２の一表面１２ａ側の上記配線を用いて電気的に直列接続、並列接続や直並列接続させてもよい。配線基板１２の一表面１２ａ側のＬＥＤ１１は、平面視において、マトリックス状、千鳥状や円形状など適宜に配置させることができる。また、ＬＥＤ光源部１は、図示していないが各ＬＥＤ１１それぞれに並列接続する複数個のツェナダイオードを配線基板１２に備えてもよい。ＬＥＤ光源部１は、各ツェナダイオードを各ＬＥＤ１１と並列接続することで、ＬＥＤ１１に静電破壊などが生ずることを抑制することが可能となる。
【００４１】
本実施形態の照明器具１０では、ＬＥＤ光源部１は、複数個（ここでは、１８個）のＬＥＤ１１を１つの配線基板１２上に搭載してＬＥＤユニットを構成している。ＬＥＤ光源部１は、各ＬＥＤ１１を点灯させた状態における個々のＬＥＤ１１の発熱量は比較的少ないものの、ＬＥＤ１１の数が増加するに伴って、ＬＥＤ光源部１の発熱量が多くなる。そのため、ＬＥＤ光源部１は、ＬＥＤ光源部１全体の温度が上昇しやすい傾向にある。
【００４２】
照明器具１０は、ＬＥＤ光源部１の点灯に伴うＬＥＤ１１の発熱により、ＬＥＤ１１自体の温度が高くなる。ＬＥＤ１１は、ＬＥＤ１１自体の温度が高くなり過ぎると、熱劣化してＬＥＤ１１の寿命が急激に短くなる特性を備えている。
【００４３】
ＬＥＤ光源部１は、ＬＥＤ１１が実装された配線基板１２の一表面１２ａとは反対の配線基板１２の他表面１２ｂ側を、収納部２１の内底面側から突出する基台部２１ｂに熱結合する形で実装している。これにより照明器具１０は、ＬＥＤ光源部１で生じた熱を効率よく灯具本体２側に熱伝導させることができる。なお、ＬＥＤ光源部１は、たとえば、熱伝導性に優れ電気絶縁性を有する絶縁層を介して、収納部２１の基台部２１ｂ上に固定してもよい。なお、照明器具１０は、複数個のＬＥＤ１１から照射される光の配光を個別に制御するため複数個の反射部（図示していない）を配線基板１２の一表面１２ａ側に設けてもよい。
【００４４】
灯具本体２は、ＬＥＤ光源部１を収納可能な収納部２１と、ＬＥＤ光源部１で生じた熱を外部に放熱可能な放熱部２２とを備えている。灯具本体２は、ＬＥＤ光源部１を収納した収納部２１と、円筒形状の放熱部２２とを一体として固定している。灯具本体２は、アーム４を取り付けた取付台５を収容可能な窪み２３を備えている。灯具本体２は、取付台５を介して、アーム４とつなげている。
【００４５】
灯具本体２は、灯具本体２の材料として、金属材料（たとえば、アルミニウム、ステンレス、銅や鉄など）や各種の樹脂材料で構成することができる。灯具本体２は、灯具本体２の材料として、熱伝導率の高い金属材料により構成することが好ましい。灯具本体２は、灯具本体２を金属材料で構成することにより、樹脂材料で形成させたものと比較して、ＬＥＤ光源部１で生じた熱を外部に効率よく放熱することができる。灯具本体２は、外形形状を円柱状に形成しているが、円柱状に限られず、直方体状などであってもよい。
【００４６】
灯具本体２は、アーム４の他端４０２側に設けた軸部４１を支持する取付台５に保持されており、灯具本体２がアーム４に対して、規制された所定の角度（たとえば、１２０度）の範囲内で回転可能としている。照明器具１０は、灯具本体２の外表面２１１と連続する面一な表面を有する取付部５の外表面５１１側の孔部５０ａから挿通する上記第２螺子を、取付部５の灯具本体２となる裏面５１２側で板ばねを構成するばね材６と螺子合いする。照明器具１０は、アーム４の軸部４１と取付部５の軸受部５１との接触面、アーム４の軸部４１とばね材６の湾曲部位６２１との接触面に摩擦が生じてアーム４の回転を抑制するように構成している。灯具本体２は、アーム４から導出されたＬＥＤ光源部１への給電用の電源コード７を挿通する挿通孔（図示していない）を放熱部２２に備えている。灯具本体２は、アーム４から導出されたＬＥＤ光源部１への給電用の電源コード７を挿通する挿通孔（図示していない）を収納部２１にも備えている。
【００４７】
電源装置３は、ＬＥＤ光源部１へ給電可能なものである。電源装置３は、内部にＬＥＤ光源部１を点灯駆動させる電源ユニット３２を備えている。電源ユニット３２は、外部の商用電源などから供給される電力に基づいてＬＥＤ光源部１を点灯可能な点灯回路を備えている。点灯回路は、外部の商用電源（図示していない）から供給される交流電力を整流した後に、平滑化して直流電流を出力する整流平滑部（図示していない）と、整流平滑部からの直流電流をＬＥＤ１１に一定の電流として供給するための定電流電源部（図示していない）とを備えた構成とすることができる。
【００４８】
電源装置３は、電源ユニット３２から導出された電源コード７がアーム４の電源コード収納部４２、灯具本体２の放熱部２２および収納部２１それぞれの挿通孔を通してＬＥＤ光源部１の配線基板１２の配線と電気的に接続している。電源装置３は、不図示の造営材たる天井材に固定するものだけでなく、壁面からアーム４が突出するように壁内に電源装置３を埋め込んでもよい。
【００４９】
アーム４は、灯具本体２と電源装置３とをつなぐことが可能なものである。アーム４は、アーム４の材料として、たとえば、金属材料や樹脂材料により構成することができる。アーム４は、アルミニウム、ステンレス、銅や鉄などの熱伝導率の高い金属材料により構成することが、放熱性や機械的強度の観点からより好ましい。アーム４は、たとえば、金属製であって長尺状に形成し、電源装置３に固定することができる。本実施形態の照明器具１０では、灯具本体２の収納部２１、放熱部２２、取付台５およびアーム４を介してＬＥＤ光源部１からの熱が熱伝導し外部に放熱させることが可能としている。これにより、照明器具１０は、ＬＥＤ光源部１のＬＥＤ１１の温度を所定の許容温度以下に維持することでＬＥＤ１１の寿命を確保している。アーム４は、アーム４の他端４０２側を、灯具本体２に対して軸部４１回りで回動可能となるように灯具本体２側で結合している。照明器具１０は、光出射方向を変更することができ、目的とする照明対象の位置に応じて灯具本体２の向きを適宜に調節することができる。アーム４は、アーム４の他端４０２側において、アーム４の両側面４０３それぞれから突出する軸部４１を備えている。アーム４は、アーム４の長手方向と垂直な方向に沿った断面においてアーム４のＣ字形状とし、アーム４のＣ字形状の凹所に電源コード７を収納している。アーム４は、Ｃ字形状の凹所が電源コード収納部４２を構成しており、電源コード７の通線経路を形成している。言い換えれば、アーム４は、電源装置３からＬＥＤ光源部１へ給電する電源コード７を収納可能な電源コード収納部４２を有している。
【００５０】
アーム４は、取付台５に対して回転可能な一対の軸部４１を突設しており、軸部４１が取付台５に設けた軸受部５１とばね材６とで挟み込んで保持され、ばね材６が軸部４１を押し圧する力を調整する。言い換えれば、アーム４は、取付台５に対して回動可能な軸部４１を備えており、軸部４１を取付台５に設けた軸受部５１とばね材６とで挟み込んで保持しており、ばね材６の力を調整するばね力調整部を構成している。
【００５１】
取付台５は、アーム４を灯具本体２に回動可能に取り付け可能なものである。取付台５は、取付台５の軸受部５１が、軸部４１の外径に略等しい内径を有していればよく、必ずしも、軸受溝５１ａとばね材６とで軸部４１を圧接する構成のものだけに限られない。本実施形態の照明器具１０は、上記第２螺子により、取付台５の軸受部５１とばね材６とで軸部４１を挟み込んで保持している。取付部５は、アーム４がアーム４の軸部４１の軸部４１回りに回転することを所定の角度範囲内に規制する突起５１ｂを備えている。照明器具１０は、ばね材６が取付台５に螺子合いされることにより、ばね材６が塑性変形して大きな摩擦力を生み出す。したがって、照明器具１０は、上記第２螺子により、より大きな摩擦力を創生して回転の抑制力の向上と回転位置の保持とを行うことが可能となる。
【００５２】
照明器具１０は、上記第２螺子の螺子合いに伴い、軸部４１と軸受部５１との間に生ずる摩擦力に加えて、軸部４１とばね材６との間に摩擦力が生ずる。これにより、照明器具１０は、大きな摩擦力が創生されるために、灯具本体２の重量が重く、灯具本体２の重心位置が軸部４１の回転中心から離れたとしても、灯具本体２の回転位置を比較的容易に固定することができる。
【００５３】
本実施形態の照明装置１０は、上記第２螺子を螺子合いすることにより、ばね材６を塑性変形させて、ばね材６の基部６１の両端から延出する一対の延出部６２の湾曲部位６２１それぞれがアーム４から突出する一対の軸部４１、４１それぞれを圧接する。したがって、照明器具１０は、比較的簡単な構成で軸部４１の軸部４１回りの回転を抑制し、回転位置の保持を行うことが可能となる。
【００５４】
取付台５は、灯具本体２の窪み２３に収容できるように、窪み２３よりも若干小さい外形形状に形成している。取付台５は、アーム４の軸部４１が軸受けされる軸受溝５１ａが形成された軸受部５１を備えている。取付台５は、取付台５の裏面５１２側にばね材６の先端部位６２２を固定するため、雌螺子部を好適に備えている。取付台５は、灯具本体２の放熱部２２における側面側の設けた窪み２３に取付台５を嵌め込んで固定することにより、灯具本体２と取付台５とを結合している。
【００５５】
ばね材６は、アーム４の軸部４１と取付台５とを圧接可能なものである。ばね材６は、ばね材６の材料として、ステンレスなどの金属材料を好適に用いることができる。ばね材６は、上記第１螺子により取付台５の雌螺子部に螺子合い可能に構成するため、ばね材６の先端部位６２２に挿通孔６２ａを好適に設けている。ばね材６は、上記第２螺子の螺子合いにより、ばね材６の取付台５側への塑性変形で、軸部４１への押し圧する力を調整することが可能となる。
【符号の説明】
【００５６】
１  ＬＥＤ光源部
２  灯具本体
３  電源装置
４  アーム
５  取付台
６  ばね材
７  電源コード
１０  照明器具
２１  収納部
２２  放熱部
２３  窪み
４１  軸部
４２  電源コード収納部
５１  軸受部
５１１  外表面
２１１  外表面
４１１  外表面
【図１】
2014146503.tif 000003
【図２】
2014146503.tif 000004
【図３】
2014146503.tif 000005
【図４】
2014146503.tif 000006
【図５】
2014146503.tif 000007
【図６】
2014146503.tif 000008
【図７】
2014146503.tif 000009